(57)【要約】      （修正有）【課題】袋の口に装着して中身の液体、粒体、粉体などの内容物を保存、運搬および利用できる状態にする装着冶具を提供する。【解決手段】上部外周に螺旋構造を有し、かつ、厚みを持つが中空である円錐の上部を切断した形状をその下部に有する第一の部材と、螺旋を有しないが、第一の部材に外側から嵌め込むことが可能な円錐台中空形状の第二の部材と、第一の部材の上部の螺旋構造とかみ合わせることが可能な螺旋構造を内部に有する補助部材の少なくとも三種から構成される。第一と第二の部材の間に袋をはさみ込み、補助部材の螺旋構造と第一の部材の螺旋構造のかみ合わせで袋を強く固定する。【選択図】図１
0003180919.tif 000002
【実用新案登録請求の範囲】
【請求項１】
上部外周に螺旋構造を有し、かつ、厚みを持つが中空である円錐の上部を切断した形状をその下部に有する第一の部材と、螺旋部を有しないが、該第一の部材に外側から嵌め込むことが可能な円錐台中空形状を有する第二の部材、及び第一の部材の上部外周の螺旋構造にはめ込むことが可能な螺旋構造を内部に有する補助部材の少なくとも三つを構成部材とすることを特徴とする、袋に用いる装着治具
【請求項２】
請求項１の構成において、補助部材の上部に設けた開口部と連接する開閉可能な弁が設けられた部材を新たに加えたことを特徴とする、袋に用いる装着冶具。
【考案の詳細な説明】
【技術分野】
【０００１】
本考案は強度を保ちながらその形状を柔軟に変化させることが可能な袋（以下、本考案のための袋と記載）の開口部に装着し、本考案のための袋の内容物を保存、運搬及び利用するための装着治具に関するものである。該袋の内容物としては、水及び医薬品等の液体、米及び小麦等の粒体、幼児用の粉ミルク及びそば粉等の粉体、あるいはこれらの少なくとも二種の物体の混合体（例えば、温水に粉ミルクを溶かした如きもの）などが想定されるものの、以下の説明では、煩雑さを避けるため、単に袋の内容物、と表記する。
【背景技術】
【０００２】
本考案の効用を発揮するために必要な袋に関しては、強度を保ちながらその形状を柔軟に変化させる特性を有するポリエチレンなどを主要な素材とするいわゆる有機樹脂製の袋、有機樹脂の表面あるいは内面に金属薄膜を被着せしめた袋、防水性や保温性などの特性が異なる複数の薄膜を強度と柔軟性を保ちながら積層化した袋、などがその目的にかなう。
【０００３】
商店やスーパーなどでの購入品の収納に用いる有機樹脂製の袋の開口部分に装着して、内容物の出し入れを容易にする市販（時には無料配布）の治具（以下、従来の治具と表記）が存在することはよく知られた事実である。これらの従来の治具が内容物を保持するために該袋を固定する方法は、はめ込む、ネジで留める、ベルトで固定するなどの方法が実用化されている。（特許文献１参照）
【０００４】
有機樹脂製の袋の装着に際して従来の治具で適用されるはめ込み式では、第一の円筒状部材と、はめ込みを容易にするために若干の径を変えた第二の円筒状部材との咬み合わせで該有機樹脂製の袋の固定を実現している。第二の円筒状部材に蓋の機能を持つ部位を付加しておくことは実用的である。利用に際しては、袋の口を第一の円筒状部材に通し、外側に折り返したところへ第二の円筒状部材をかぶせて押し込み、二つの円筒状部材の間に袋を挟み込むことで従来の治具を袋に固定し、内容物の出し入れを補助することが可能である。しかし、この固定方法では、内容物の重さによっては袋が従来の治具から外れてしまうことが多々、あったことが知られている。
【０００５】
ネジ式は、はめ込み式と同様に第一及び第二の円筒状部材（蓋を兼ねる部位を組み込んだものも存在）で構成されているが、第二の部材の内側にはいわゆるメネジが、第一の円筒状部材の外側にはいわゆるオネジが加工されており、該二つの部材はこれらの咬み合わせによって間の袋を強く固定することができる。具体的には、袋の開口部分を第一の円筒状部材に通し、外側に折り返した上から第二の円筒部材をねじ込んで装着する。この固定方法は、内容物の重量が大きい袋もつり下げることが可能である。しかしながら、固定部位に挟まれた袋の部分はネジの凹凸によって損傷しやすい。また、厚みのある袋にも対応するために、ネジのピッチは大きめに作られており、ここから内容物として液体を入れた場合、該内容物が漏れる可能性が存在する。
【０００６】
ベルト式は治具に接触する袋の部位をベルトで締め付けることで固定する。この固定方法も、ベルトが治具によって締め付ける力と摩擦力が非常に大きくなければ、治具が袋から外れてしまい、内容物も漏れやすい。
【先行技術文献】
【特許文献】
【０００７】
【特許文献１】特開２００１−１１６０２０
【考案の概要】
【０００８】
袋の口に装着して中身の液体、粒体、粉体などの内容物を保存、運搬および利用できる状態にする装着冶具を提供する。上部外周に螺旋構造を有し、かつ、厚みを持つが中空である円錐の上部を切断した形状をその下部に有する第一の部材と、螺旋を有しないが、第一の部材に外側から嵌め込むことが可能な円錐台中空形状の第二の部材と、第一の部材の上部の螺旋構造とかみ合わせることが可能な螺旋構造を内部に有する補助部材の少なくとも三種から構成された袋のための装着部材であり、第一と第二の部材の間に袋をはさみ込み、補助部材の螺旋構造と第一の部材の螺旋構造のかみ合わせで袋を強く固定する。中空の円錐台構造の部材を用いることで、間に挟み込む袋の厚みに対する余裕が大きく、薄層の袋に限定されず、厚みのある積層構造の袋でも固定し、内容物の液体などを保存、運搬および利用が可能である。
【考案が解決しようとする課題】
【０００９】
本考案は、液体または粒体または紛体またはこれらの混合体の保存、運搬および利用に際し、内容物の重量によって治具が外れる難点を改善し、内容物の漏れを極力抑止し、かつ、開閉可能な弁による中身の出し入れの利便性の向上を考慮した治具の新規な構造の提供にある。
【課題を解決するための手段】
【００１０】
本考案の実施の形態を図に基づいて以下に説明するが、本考案は、これに限定されるものではない。本考案の具体的な構成例の俯瞰図（一部を破断して表記）を図１に、またその断面図を図２に示す。本考案においては、上部外周に螺旋構造（いわゆるネジで、以下、外部に螺旋を設けた構造を単にオネジ、内部に螺旋を設けた構造をメネジと表記）を有し、かつ、厚みを持つが中空である円錐の上部を切断した形状をその下部に有する部材（以下、これを第一の円錐台中空形状の部材1と表記）と螺旋を有しないが、１に外側から嵌め込むことが可能な円錐台中空形状の第二の部材２、１の上部のオネジにメネジをかみ合わせて装着する補助部材３の少なくとも三つが主要な構成部材となる。用途によっては、前記３の上部は蓋状にすることもあり、また、必要に応じて、該上部に開口部を設けると共に、その開口部と連接された内部管路の開閉を行う弁（以下、開口部と連接された開閉弁と表記）を有する部材４を構成部材に加えることも本考案の目的にかなうものである。これらの部材が各々の機能を発揮することで、液体または粒体または粉体またはこれらの混合体を対象とし、該内容物の保存、運搬及び利用を容易、かつ軽便なものとする袋のための装着治具が実現された。
【００１１】
本考案においては、図１及び図２に示す如き円錐台中空形状の１と同様な形状の２を組み合わせて用いることに大きな特徴がある。この効用を具体的に述べる。図３に本考案の適用例を断面図で示す。１の上部から通した２は、厚みを有する円錐台中空構造によって生まれる口径差のために下部へ抜けることがない形状に設計・製造されている。言葉を変えて言えば、1の上部から２を通し、２を下部に下げていくと、１の円錐台の下部の外径がいずれかの時点で２の内径（２の外径から２の部材の厚みの２倍を差し引いた寸法）と一致してそれ以下には下がらずに留まる構造が、本考案の構造上の特徴の一つである。１及び２の間に柔軟な有機樹脂などで作られた薄膜状の袋５を挟むと、５のおおよその厚みを加えたものが２の外径に加わり、何も挟まない時に比べて若干、１の上側の位置で２が下げ止まる。具体的な手順を述べれば、５の内部に１を保持し、さらに２の内側から袋５の開口部側を通し、２の外側に５の端を少し出す。この状態で１を２の下側（袋の内部）から２にはめ込む。はめ込まれた２を下部に、１を上部に動かし、５を挟んだ状態で１及び２を固定する。その後、１の上部外周に設けられたオネジと３の内部に設けたメネジを咬み合わせて締め付けることで１、２、３、及び５がしっかりと固定される。
【考案の効果】
【００１２】
１と２の間に５を挟み込んだ状態で、１の上部の外周に設けたネジ部分に、内部にメネジを設けた３を螺旋に沿って締め込むと、３は１の螺旋に沿って下方に降下し、５を挟んだ状態で留まっていた２をわずかに押し下げた状態で留まる。この時のネジの締め付けの力が、円錐台形状を有する１と２の内外径差によって保持されていた５を無理なく、ほぼ均一に締め付け、固定する。この５をほぼ均一に締め付ける作用は、内容物を保持するための袋５が薄い有機樹脂製のものであっても、容易には破れることなく使用できることを実現した。中空の円錐台構造の部材を用いることで、間に挟み込む袋の厚みに対する余裕が大きくできたことは、本考案の構造に由来する大きな効果である。
【図面の簡単な説明】
【００１３】
【図１】本考案の治具の一部を破断して表示した斜視図である。
【図２】本考案の治具の断面図である。
【図３】本考案の使用時の治具の断面図である。
【図４】本考案の部材の構成図である。
【考案を実施するための最良の形態】
【００１４】
３の上部が蓋状になっている構造だけではなく、３の上部に開口部を設け、該開口部と連接された開閉弁を有する部材４をさらに構成部材に加えた別の構造も本考案の用途及び利便性を広げるものである。４は、５が保持する内容物が液体等である場合も考慮し、３の上部外周に設けたオネジに咬み合うメネジを内部に設けた構造とし、オネジとメネジの螺旋による咬み合わせで３及び４を強く固定することができる。この特徴的な別の構造も本考案の事例の一つである。本構成により次の効果を発揮する。４が設けられたことで５の内容物を保存、運搬および利用する際、５を傾けるあるいは若干の力を加えて５の内部の圧力を増した後、開閉弁を操作することで５から内容物の容易な取り出しが可能となる。取り出しが終わった後、４の開閉弁を閉じておくことで、内容物の品質の保持、あるいは蒸発による減量の抑止が可能である。
【００１５】
本考案の別の適用事例について述べる。本考案において内容物の保持に用いている袋５は形状が自在なため、保存、運搬、及び利用の際、バケツやバッグなどを外側に、５を含む本考案の構成部材を内側に組み合わせた構成とすることが可能である。バケツやバッグなどは液体の保管および運搬に用いられるが、本考案品の使用によって、液体のこぼれや異物が入ることを避け、さらには５の内容物の重量が増した場合に懸念される５の破損が上記組み合わせによって予防できる。
【００１６】
本考案においては、取り付ける袋５自体は替えがきくため、使用後は袋を取り外して簡単に洗浄、乾燥することができる。また、災害時における備えとしては、１、２、３、の三種、あるいはこれに４を加えた四種の部材を保管するに留め、５は店舗等で提供されるいわゆるビニール製の買い物袋で代用することが可能である。このような使い方は、製造コストの低廉な飲料水などの保管、運搬、利用のための容器を災害時に提供することとなり、バケツなどをそのまま利用する場合に比べて少なくとも三種、必要に応じて四種の小さな部材を用いる本考案の適用は、保管スペースの大きな節減となることは明らかである。
【００１７】
重量のある内容物の保管のための厚膜化、内容物の保温を目的とした断熱層の付加、あるいは金属薄層の被着による紫外線の遮断などを目的とする機能及びデザインを考慮した積層構造の採用などで、袋５に厚みがある場合、円錐台形状であれば、１と２による固定位置が、５が薄い場合に比べ若干、高い位置になる程度のことであり、実用上の支障は皆無である。３のはめ込みに必要な螺旋の長さが固定に必要な長さ以上で若干の遊びを加えた寸法であれば厚い袋の場合であっても使用に支障のない強度で固定されることは自明である。
【００１８】
部材としての１、２、３及び４の材料は、部材自体の変形があると使用に支障が出るため、強度のある素材が好ましく、加えて軽い素材であるとよい。このような材料の代表的なものは、ポリエチレン、ポリプロピレン、ポリエチレンテレフタレート（いわゆるペットボトルの原材料）、ポリカーボネートなどの有機樹脂である。また、アルミニウム及びその合金、軟鉄、マグネシウム及びその合金、などを薄層形状、あるいは網目形状の補強材とし、前記有機樹脂を用いた薄層との積層構造とすることも本考案の用途を広げるものである。さらには、綿、羊毛、絹、アクリル繊維、炭素繊維などで製作した布と前記有機樹脂、あるいは金属材料の補強材、との積層あるいは複合構造とすることも本考案の用途を広げるものである。
【符号の説明】
【００１９】
１  第一の円錐台中空形状の部材
２  第二の円錐台中空形状の部材
３  補助部材
４  開閉弁を有する部材
５  柔軟性のある袋
【図１】
0003180919.tif 000003
【図２】
0003180919.tif 000004
【図３】
0003180919.tif 000005
【図４】
0003180919.tif 000006